(57)【要約】【課題】複数の信号線の信号ケーブルから引き出されている部分の内側に封止用接着剤を確実に流し込んで、信号線間の絶縁不良や断線等を防止することができる電子内視鏡の先端部を提供すること。【解決手段】複数の信号線として、信号ケーブル１１の外周部の内側に沿って配置された複数の外周側信号線１２ａと、外周側信号線１２ａに外側を囲まれる状態に配置された複数の内側信号線１２ｂとを設け、複数の内側信号線１２ｂの分離位置を複数の外周側信号線１２ａの分離位置より接続端子部１０寄りの位置に設けた。【選択図】      図１
2006061327.tif 000002
【特許請求の範囲】
【請求項１】
挿入部の先端に固体撮像素子と回路基板とが内蔵され、上記挿入部内に挿通配置された信号ケーブルの先端から引き出されて互いの間に隙間があくように分離された複数の信号線の先端部分が、上記回路基板に設けられた接続端子部に接続されると共に、上記複数の信号線の上記信号ケーブルから引き出されている部分全体が封止用接着剤により封止された電子内視鏡の先端部において、
上記複数の信号線として、上記信号ケーブルの外周部の内側に沿って配置された複数の外周側信号線と、上記外周側信号線に外側を囲まれる状態に配置された複数の内側信号線とを設け、上記複数の内側信号線の分離位置を上記複数の外周側信号線の分離位置より上記接続端子部寄りの位置に設けたことを特徴とする電子内視鏡の先端部。
【請求項２】
上記信号ケーブル内においては、螺旋状に撚って束ねられた上記複数の内側信号線の周囲に、上記複数の外周側信号線が螺旋状に巻回された状態に配置されている請求項１記載の電子内視鏡の先端部。
【請求項３】
上記複数の外周側信号線は、上記信号ケーブルの先端から引き出されている部分全体において互いの間に間隔があくように分離され、上記複数の内側信号線の分離位置は、上記信号ケーブルから引き出されている範囲の中央位置より上記接続端子部寄りの位置に設けられている請求項１又は２記載の電子内視鏡の先端部。
【請求項４】
上記複数の内側信号線が、上記接続端子部への接続部分付近において、均等の相互間間隔で上記複数の外周側信号線どうしの隙間に配置されている請求項１、２又は３記載の電子内視鏡の先端部。
【請求項５】
上記外周側信号線が上記内側信号線の整数倍の数配置されていて、上記接続端子部においては、上記複数の内側信号線の各接続部分間毎に上記複数の外周側信号線の接続部分が同数ずつ配置されている請求項４記載の電子内視鏡の先端部。
【発明の詳細な説明】
【技術分野】
【０００１】
この発明は電子内視鏡の先端部に関する。
【背景技術】
【０００２】
電子内視鏡においては一般に、挿入部の先端に固体撮像素子と回路基板とが内蔵され、挿入部内に挿通配置された信号ケーブルの先端から引き出されて互いの間に隙間があくように分離された複数の信号線の先端部分が、回路基板に設けられた接続端子部に接続されている。
【０００３】
そして、信号線間の絶縁が不完全になったり、信号線が挿入部側から引っ張られることにより断線したりしないように、複数の信号線の信号ケーブルから引き出されている部分全体が封止用接着剤により封止されている（例えば、特許文献１）。
【特許文献１】特開２０００−８３８９６
【発明の開示】
【発明が解決しようとする課題】
【０００４】
しかし、上述のように複数の信号線の信号ケーブルから引き出されている部分全体を封止用接着剤で完全に封止しようとしても、極限に近い状態まで細く構成する必要がある内視鏡の挿入部内においては、複数の信号線間の間隔も非常に狭くなっているので、封止用接着剤が複数の信号線間の隙間からその内側に流れ込むのが不十分になりがちで、信号線間の絶縁不良や断線等が発生する原因になる場合があった。
【０００５】
そこで本発明は、複数の信号線の信号ケーブルから引き出されている部分の内側に封止用接着剤を確実に流し込んで、信号線間の絶縁不良や断線等を防止することができる電子内視鏡の先端部を提供することを目的とする。
【課題を解決するための手段】
【０００６】
上記の目的を達成するため、本発明の電子内視鏡の先端部は、挿入部の先端に固体撮像素子と回路基板とが内蔵され、挿入部内に挿通配置された信号ケーブルの先端から引き出されて互いの間に隙間があくように分離された複数の信号線の先端部分が、回路基板に設けられた接続端子部に接続されると共に、複数の信号線の信号ケーブルから引き出されている部分全体が封止用接着剤により封止された電子内視鏡の先端部において、複数の信号線として、信号ケーブルの外周部の内側に沿って配置された複数の外周側信号線と、外周側信号線に外側を囲まれる状態に配置された複数の内側信号線とを設け、複数の内側信号線の分離位置を複数の外周側信号線の分離位置より接続端子部寄りの位置に設けたものである。
【０００７】
なお、信号ケーブル内においては、螺旋状に撚って束ねられた複数の内側信号線の周囲に、複数の外周側信号線が螺旋状に巻回された状態に配置されていてもよい。
また、複数の外周側信号線が、信号ケーブルの先端から引き出されている部分全体において互いの間に間隔があくように分離され、複数の内側信号線の分離位置が、信号ケーブルから引き出されている範囲の中央位置より接続端子部寄りの位置に設けられていると、外周側信号線の内側に封止用接着剤をより容易に流し込むことができる。
【０００８】
また、複数の内側信号線が、接続端子部への接続部分付近において、均等の相互間間隔で複数の外周側信号線どうしの隙間に配置されていてもよく、その場合、外周側信号線が内側信号線の整数倍の数配置されていて、接続端子部においては、複数の内側信号線の各接続部分間毎に複数の外周側信号線の接続部分が同数ずつ配置されていてもよい。
【発明の効果】
【０００９】
本発明によれば、複数の信号線として、信号ケーブルの外周部の内側に沿って配置された複数の外周側信号線と、外周側信号線に外側を囲まれる状態に配置された複数の内側信号線とを設け、複数の内側信号線の分離位置を複数の外周側信号線の分離位置より接続端子部寄りの位置に設けたことにより、複数の信号線の信号ケーブルから引き出されている部分の内側に封止用接着剤を確実に流し込んで、信号線間の絶縁不良や断線等を防止することができる。
【発明を実施するための最良の形態】
【００１０】
挿入部の先端に固体撮像素子と回路基板とが内蔵され、挿入部内に挿通配置された信号ケーブルの先端から引き出されて互いの間に隙間があくように分離された複数の信号線の先端部分が、回路基板に設けられた接続端子部に接続されると共に、複数の信号線の信号ケーブルから引き出されている部分全体が封止用接着剤により封止された電子内視鏡の先端部において、複数の信号線として、信号ケーブルの外周部の内側に沿って配置された複数の外周側信号線と、外周側信号線に外側を囲まれる状態に配置された複数の内側信号線とを設け、複数の内側信号線の分離位置を複数の外周側信号線の分離位置より接続端子部寄りの位置に設ける。
【実施例】
【００１１】
図面を参照して本発明の実施例を説明する。
図２は、固体撮像素子５を内蔵する電子内視鏡の挿入部の先端部分を示しており、挿入部１の先端に連結された先端部本体２の先端面には観察窓３等が配置されていて、観察窓３の奥に内蔵された対物光学系４による被写体の投影位置に、例えばＣＣＤ（電荷結合素子）からなる固体撮像素子５の撮像面６が配置されている。
【００１２】
対物光学系４と固体撮像素子５を保持する撮像ユニット枠７内には、固体撮像素子５の駆動回路等を構成する例えばコンデンサやＩＣチップ等の電子部品９が取り付けられた回路基板８が、固体撮像素子５の直ぐ後側に隣接して固体撮像素子５に対して固定的に配置されている。回路基板８は例えばセラミックスからなるブロック体により形成されている。
【００１３】
１１は、挿入部１内に全長にわたって挿通配置された信号ケーブルであり、その先端から引き出された複数の信号線１２ａ，１２ｂが、回路基板８に設けられた接続端子部１０に半田付けによって各々接続固着されている。１３は、固体撮像素子５側から回路基板８に接続されたリード、１４は電気絶縁性の補強板である。
【００１４】
そのように配置された信号線１２ａ，１２ｂは、信号ケーブル１１から引き出された部分全体が、撮像ユニット枠７内に充填された例えばエポキシ樹脂等からなる封止用接着剤１５によって固体撮像素子５及び回路基板８と共に一塊に封止されており、それらが信号ケーブル１１の先端部分と一体化された状態でいわゆる撮像モジュールとしてユニット化されている。
【００１５】
図３は信号ケーブル１１を途中で切断した状態を示しており、信号ケーブル１１内には、信号ケーブル１１の外周部の内側に沿って配置された複数の外周側信号線１２ａと、外周側信号線１２ａに外側を囲まれる状態に配置された複数の内側信号線１２ｂとが設けられている。
【００１６】
この実施例においては、螺旋状に撚って信号ケーブル１１の軸線位置に束ねられた３本の内側信号線１２ｂの周囲に、９本の外周側信号線１２ａが螺旋状に隙間なく巻回された状態に配置されており、信号ケーブル１１内に信号線１２ａ，１２ｂを無駄なく配置して信号ケーブル１１の外径を最小限の太さに形成することができる。
【００１７】
図４は、信号ケーブル１１の先端から延出して回路基板８の接続端子部１０に先端が接続された信号線１２ａ，１２ｂの部分を斜め後方から見た状態を示しており、この実施例の回路基板８は、後端部分８ａ付近が矩形状の断面形状に形成されていて、信号線１２ａ，１２ｂを接続するための接続端子部１０がその四面に各々設けられている。
【００１８】
図５は、そのような回路基板８の接続端子部１０に対して接続される信号線１２ａ，１２ｂの、信号ケーブル１１の先端部分における断面図（図２におけるＶ−Ｖ断面図）であり、３本の内側信号線１２ｂには、その判別をし易いように、断面でない部分にも斜線を付してある。
【００１９】
図５に示されるように、３本の内側信号線１２ｂは、接続端子部１０への接続部分付近においては、略１２０°おきの均等の相互間間隔で複数の外周側信号線１２ａどうしの隙間に配置されていて、各信号線１２ａ，１２ｂの信号ケーブル１１から引き出された部分全体が、その周囲と隙間に充填された封止用接着剤１５により一塊に封止されている。
【００２０】
即ち、９本配列されている外周側信号線１２ａの３本おきの隙間部分に内側信号線１２ｂが内方から延出されて、各信号線１２ａ，１２ｂが回路基板８に形成された接続端子部１０に接続されている。逆に言うと、３本の内側信号線１２ｂの延出部間毎に外周側信号線１２ａが３本ずつ配置されている。
【００２１】
３本の内側信号線１２ｂは、断面形状が矩形状の回路基板８の後端部分８ａの上面の中央位置と左右両面の下部とに各々形成された三箇所の接続端子部１０に半田付けにより接続固着され、各内側信号線１２ｂの間において外周側信号線１２ａが３本ずつ各々接続端子部１０に接続固着されている。
【００２２】
図１は、信号ケーブル１１の先端から延出して回路基板８の接続端子部１０に先端が接続された信号線１２ａ，１２ｂの周辺部分を一部を断面で示す側面図であり、信号ケーブル１１内において螺旋状に密着巻きされている９本の外周側信号線１２ａは、信号ケーブル１１の先端から引き出されている部分全体において互いの間に間隔があくように、信号ケーブル１１から引き出された位置で分離され、そこから徐々に外方に広がりながら接続端子部１０に向かっている。
【００２３】
一方、信号ケーブル１１の軸線位置に撚り合わせられた状態に配置された３本の内側信号線１２ｂは、撚り合わせられた状態のまま信号ケーブル１１から引き出されて、接続端子部１０に至る途中の位置から先側において互いの間に間隔があくように分離されている。
【００２４】
このように、３本の内側信号線１２ｂの分離位置が９本の外周側信号線１２ａの分離位置より接続端子部１０寄りの位置に設けられていることにより（図１においてＡ＜Ｂ）、内側信号線１２ｂが分離されていない後寄りの範囲では９本の外周側信号線１２ａの配列に３本おきに隙間が形成されることになり、その隙間から図１及び図４に矢印Ｓで示されるように封止用接着剤１５を外周側信号線１２ａの配列の内側の空間に容易に流し込んで充填することができる。
【００２５】
また、その封止用接着剤１５はさらに内側信号線１２ｂが分離している範囲（図１のＡの範囲）において内側信号線１２ｂの内側の空間に流れ込んで充填される。したがって、封止用接着剤１５を信号線１２ａ，１２ｂの内外に隙間なく充填して硬化させ、信号線１２ａ，１２ｂ間の絶縁不良や断線等を確実に防止することができる。
【００２６】
なお、封止用接着剤１５を外周側信号線１２ａの配列の内側に確実に流し込むための隙間を形成するためには、３本の内側信号線１２ｂの分離位置を、信号ケーブル１１から引き出されている範囲の中央位置より接続端子部１０寄りの位置（図１においてＡ＜Ｂ／２）に設けるのが好ましい。
【００２７】
なお、本発明は上記実施例に限定されるものではなく、例えば外周側信号線１２ａと内側信号線１２ｂの各々の本数は、９本と３本以外であってもよく、外周側信号線１２ａの本数が内側信号線１２ｂの本数の整数倍であると、封止用接着剤１５を流し込むための隙間が略均等の間隔で形成されて好ましいが、必ずしも整数倍でなくても差し支えない。
【図面の簡単な説明】
【００２８】
【図１】本発明の実施例の電子内視鏡の先端部の信号ケーブルの先端から延出する信号線の周辺部分を一部を断面で示す側面図である。
【図２】本発明の実施例の電子内視鏡の挿入部の先端付近の側面断面図である。
【図３】本発明の実施例の信号ケーブルを途中で切断した状態の斜視断面図である。
【図４】本発明の実施例の信号ケーブルの先端から延出する信号線の周辺部分を斜め後方から見た状態の斜視図である。
【図５】本発明の実施例の電子内視鏡の挿入部の図２におけるＶ−Ｖ断面図である。
【符号の説明】
【００２９】
１  挿入部
２  先端部本体
５  固体撮像素子
８  回路基板
１０  接続端子部
１１  信号ケーブル
１２ａ  外周側信号線
１２ｂ  内側信号線
１５  封止用接着剤
【図１】
2006061327.tif 000003
【図２】
2006061327.tif 000004
【図３】
2006061327.tif 000005
【図４】
2006061327.tif 000006
【図５】
2006061327.tif 000007